(57)【特許請求の範囲】
【請求項１】
平行６面体の形状を実質的に有し、軸（Ａ）に従って延在し、シガレット（３）のグループ（２）を収容する、シガレット箱であって、
より大きな２つの側壁である、前壁（１７）および後壁（１８）と、より小さな２つの側壁またはサイド（１９）と、底壁またはベース（２０）と、上壁または蓋（２１）と、によって形成された外側ケース（６）と、
より大きな２つの側壁である、前壁（７）および後壁（８）と、より小さな２つの側壁（９）と、底壁またはベース（１０）と、によって形成され、前記グループ（２）の上面（１２）において、上端部に開口（５７）を有し、前記外側ケース（６）に挿入される内側ケース（５）と、を備え、
前記内側ケース（５）は、軸方向に摺動可能となるように、前記外側ケース（６）に挿入され、
前記外側ケース（６）は、前記上壁または蓋（２１）を制御するための突出部（２４）を有し、
前記突出部（２４）は、
前記外側ケース（６）の前壁（１７）と、前記内側ケース（５）の前壁（７）との間に介挿され、且つ、
前記蓋（２１）が閉鎖される第１の位置と、前記蓋（２１）が開放される第２の位置との間を移動可能であり、
前記突出部（２４）および前記内側ケース（５）の相互係合のための手段（５６）を備えることを特徴とする、シガレット箱。
【請求項２】
前記上壁または蓋（２１）は、
一方側において、ヒンジ線（２２）によって、前記後壁（１８）に接続されるとともに、
他方側において、折り目線（２３）によって、前記突出部（２４）に接続されることを特徴とする、請求項１に記載のシガレット箱。
【請求項３】
前記突出部（２４）は、開口（２９）を含み、
前記開口（２９）は、開放位置において、前記内側ケース（５）における前記開口（５７）に、実質的に一致することを特徴とする、請求項１または２に記載のシガレット箱。
【請求項４】
前記相互係合のための手段は、前記突出部（２４）と、前記内側ケース（５）の前壁（７）とを結合するための手段（５６）を有することを特徴とする、請求項１〜３のいずれか１項に記載のシガレット箱。
【請求項５】
前記結合手段（５６）は、前記前壁（７）の少なくとも１つのフラップ（１６、６１）の折り目線（１５、６１ａ）を含み、
前記折り目線（１５、６１ａ）は、前記突出部（２４）に形成された刻み目（２８、６０）の端縁（３１、６０ａ）と協働することを特徴とする、請求項４に記載のシガレット箱。
【請求項６】
開口（２９）は、
前記突出部（２４）において、前記蓋（２１）に接続するための２つのストリップ（３３）を側方に形成し、
前記ストリップ（３３）は、開放位置において、前記グループ（２）の上面（１２）と接触するように構成された要素を形成することを特徴とする、請求項１〜５のいずれか１項に記載のシガレット箱。
【請求項７】
前記突出部（２４）を操作するための少なくとも１つの領域（３７）と、
前記外側ケース（６）における開口（３６、５９）と、を備え、
前記開口（３６、５９）を通して、前記蓋（２１）の開放および閉鎖を制御するために前記操作領域（３７）にアクセス可能であることを特徴とする、請求項１〜６のいずれか１項に記載のシガレット箱。
【請求項８】
前記開口（３６）は、前記突出部（２４）の位置において、前記外側ケース（６）の前壁（１７）に形成されることを特徴とする、請求項７に記載のシガレット箱。
【請求項９】
前記開口（５９）は、フラップ（５８）の位置において、前記外側ケース（６）の２つの前記サイド（１９）の少なくとも一方に形成され、
前記フラップ（５８）は、前記突出部（２４）の側方に接続されることを特徴とする、請求項７に記載のシガレット箱。
【請求項１０】
前記フラップ（５８）は、前記外側ケース（６）の側壁（１９）と、前記内側ケース（５）の側壁（９）との間に介挿されることを特徴とする、請求項９に記載のシガレット箱。
【請求項１１】
前記フラップ（５８）は、前記外側ケース（６）のサイド（１９）を形成する２つのフラップ（５１、５２）の間に介挿されることを特徴とする、請求項９に記載のシガレット箱。
【請求項１２】
前記突出部（２４）は、少なくとも１つの側方フラップ（５８）を含み、
前記外側ケース（６）における前記開口（３６）は、前記突出部（２４）のパネル（２６）と前記側方フラップ（５８）との間に形成された端縁に形成されることを特徴とする、請求項７に記載のシガレット箱。
【請求項１３】
前記突出部（２４）を操作するための前記領域（３７）は、高い摩擦係数を有する領域であることを特徴とする、請求項７〜１２のいずれか１項に記載のシガレット箱。
【請求項１４】
前記突出部（２４）は、折り目線（２３）によって前記蓋（２１）に接続される部分を含み、該部分は、前記蓋（２１）の前壁（３２）を形成することを特徴とする、請求項１〜１３のいずれか１項に記載のシガレット箱。
【請求項１５】
前記蓋が開放位置にあるときに、前記蓋（２１）の前壁（３２）は、前記グループ（２）の上面（１２）と接触するように位置決めされることを特徴とする、請求項１４に記載のシガレット箱。
【請求項１６】
前記蓋が開放位置にあるときに、前記蓋（２１）の前壁（３２）は、前記外側ケース（６）の後壁（１８）と同じ平面上となることを特徴とする、請求項１４に記載のシガレット箱。
【発明の詳細な説明】
【技術分野】
【０００１】
本発明は、シガレット箱（ｃｉｇａｒｅｔｔｅ  ｐａｃｋｅｔ）に関する。本明細書は、特に、「ハード箱（ｈａｒｄ  ｐａｃｋｅｔ）」として知られるシガレット箱について言及する。
【背景技術】
【０００２】
例えば、平らな板紙ブランクから作製されたヒンジ（またはフリップトップ）付のハード箱が、従来技術において知られている。この板紙ブランクは、予め脆弱化され、且つ予め折り目が付けられている。箱は、一方の端部にて開口するコンテナと、該コンテナの端部に枢着された蓋とから構成される。
【０００３】
また、箱は、コンテナの開口端から延在する内側要素またはフレームを有する。この内側要素は、前壁と２つの側壁とに固定され、コンテナを蓋に接続する機能を有する。
【０００４】
しかしながら、蓋を適切な位置に保持するために、内側フレームの角部に、反対側の要素があるにも関わらず、一旦箱が開かれると、箱が蓋を正確な位置に維持することが困難となる傾向がある。
【０００５】
この欠点によって、シガレットの湿度と香りが消失してしまう。
【発明の概要】
【発明が解決しようとする課題】
【０００６】
本発明の目的は、上記した欠点を克服することができるシガレット箱を提供することである。すなわち、ヒンジ蓋付の箱の堅固さと、閉蓋時に良好な封止を維持する能力とを組み合わせた、シガレット箱を提供する。
【課題を解決するための手段】
【０００７】
したがって、本発明は、添付の特許請求の範囲に記載された特著鵜を備えるシガレット箱を提供する。
【０００８】
本発明について、本発明の好ましい実施形態を示す添付の図面を参照して、以下に説明する。
【図面の簡単な説明】
【０００９】
【図１】本発明に係る箱の斜視図であって、閉蓋された形態を示す。
【図２】本発明に係る箱の斜視図であって、半開きの形態を示す。
【図３】本発明に係る箱の斜視図であって、開蓋された形態を示す。
【図４】図１に示す箱の斜視図であって、他の要素をより明確に示すために、一部を切り取った図である。
【図５】図２に示す箱の斜視図であって、他の要素をより明確に示すために、一部を切り取った図である。
【図６】前述の図に示された箱の分解斜視図である。
【図７】前述の図に示された箱を作製するために用いられるブランクを示す平面図である。
【図８】前述の図に示された箱を作製するために用いられるブランクを示す平面図である。
【図９】本発明の第２の実施形態に係る箱を示す。
【図１０】図９に示す箱を作製するために用いられるブランクを示す平面図である。
【図１１】図９の拡大断面図を示す。
【図１２】本発明の第３の実施形態に係る箱を示す。
【図１３】図１２に示す箱を作製するために用いられるブランクを示す平面図である。
【図１４】図１２の拡大断面図を示す。
【図１５】本発明のさらなる実施形態に係る箱の斜視図である。
【図１６】本発明のさらなる実施形態に係る箱の斜視図であって、図１５と異なる角度から見た図である。
【図１７】図１５および図１６に示す箱を作製するために用いられるブランクを示す平面図である。
【図１８】図１５および図１６に示す箱を作製するために用いられるブランクを示す平面図である。
【図１９】本発明のさらなる実施形態に係る箱の斜視図である。
【図２０】図１９に示す箱を作製するために用いられるブランクを示す平面図である。
【図２１】図１９に示す箱を作製するために用いられるブランクを示す平面図である。
【図２２】本発明のさらなる実施形態に係る箱の斜視図である。
【図２３】図２２に示す箱を作製するために用いられるブランクを示す平面図である。
【図２４】図２２に示す箱を作製するために用いられるブランクを示す平面図である。
【発明を実施するための形態】
【００１０】
符号１は、全体を通して、長方形断面を有する実質平行６面体の形状の箱に付されており、この箱１の縦方向軸には、文字Ａが付されている。
【００１１】
箱１は、シガレット３のグループ２と、内側ケース５と、外側ケース６とを備える。なお、図１、図２、および図３に図示されている第１の実施形態においては、箱１には、符号１ａが付されている。シガレット３のグループ２は、実質平行６面体の形状で、ホイル４の一部に包まれている。シガレット３は、３つの層３ａ、３ｂ、３ｃに配置されている。内側ケース５および外側ケース６は、板紙または同様の半剛性材料から作製される。
【００１２】
図４〜図６を参照して、内側ケース５は、グループ２の周囲に巻き付けられたホイル４の部分と直接接触し、上端部にて開口している。内側ケース５は、より大きな２つの側壁、すなわち、前壁７および後壁８の各々と、より小さな２つの側壁またはサイド９と、軸Ａに交差する下側壁またはベース１０とによって、形成されている。
【００１３】
その上端部にて、内側ケース５は、Ｌ字状のフラップ１１を２つ有している。これらフラップ１１は、サイド９の上端部から延び、これらフラップ１１の間にて、開口１１ａを画定している。
【００１４】
前壁７および後壁８は、それぞれの上端部にて、Ｕ字状の刻み目１３によって画定される。刻み目１３の凹部は、グループ２の上面１２に向かっており、開口１１ｂの各々を画定している。
【００１５】
さらに、前壁７における刻み目１３の下端縁１４は、軸Ａと交差しており、折り目線１５によって、フラップ１６に接続されている。なお、フラップ１６の機能については、後述する。フラップ１６は、底壁１０に向かって折り曲げられ、同じ前壁７の外面と接触する。
【００１６】
図６を特に参照して、外側ケース６は、より大きな２つの側壁、すなわち、前壁１７および後壁（またはバック）１８と、より小さな２つの側壁（またはサイド）１９とによって、形成されている。前壁１７および後壁１８は、壁７および８に面している。また、サイド１９は、内側ケース５のサイド９と面している。
【００１７】
符号２０は、底壁またはベースを示しており、この底壁２０は、内側ケース５の底壁１０に面している。また、符号２１は、上壁または蓋を示しており、この上壁２１は、折り目線（またはヒンジ）２２によって、後壁１８の上端縁に接続されている。
【００１８】
上壁２１は、突出部２４を有し、突出部２４は、折り目線２２と平行な折り目線２３によって、上壁２１に接続されている。
【００１９】
突出部２４は、壁１７と実質同じ縦方向および横方向の寸法を有し、上記したケース５の前壁７と、ケース６の前壁７との間に、介挿される。
【００２０】
まず、折り目線２３から延びるものとして、突出部２４は、少なくとも１本の折り目線２７によって互いに接続された第１パネル２５および第２パネル２６を有する。
【００２１】
折り目線２７は、折り目線２３と平行であり、延伸Ｓ’だけ、該折り目線２３から離隔している。延伸Ｓ’の長さは、箱１の厚さＳと実質同じである。
【００２２】
突出部２４は、閉じられた刻み目２８を有し、この刻み目２８は、２つのパネル２５および２６を接続する領域において、開口２９を形成している。
【００２３】
刻み目２８は、上端縁３０と下端縁３１とによって画定されている。上端縁３０および下端縁３１は、それぞれ、軸Ａと交差し、パネル２５およびパネル２６の内部に配置されている。
【００２４】
パネル２５における、上端縁３０と折り目線２３と間の部分は、蓋２１の前壁３２を形成する。
【００２５】
側方において、開口２９の、互いに対向する側端縁３０ａは、第１延伸部において、互いに平行であり、２つのストリップ３３を形成するように、上端縁３０から延在している。そして、側端縁３０ａは、第２延伸部３１ａにおいて、下端縁３１に向かって収束している。
【００２６】
開口２９の下端縁３１のレベルは、フラップ１６の折り目線２５から、所定の長さＤだけ下方側の位置である。フラップ１６の側端縁は、開口２９の側端縁３１ａとは反対方向において、互いに近づくように延在している（図４）。
【００２７】
さらに、図４および図５を参照して、フラップ１６は、外側に向かって折り曲げられ、フォーク形状となり、且つ、以下のようなサイズとなる。すなわち、フォークの尖端である下端部３５が、外側ケース６の前壁１７と、突出部２４の第２パネル２６との間で、開口２９を通って挿入される。
【００２８】
前壁１７の中央領域には、実質長方形の開口３６が設けられており、この開口３６は、その内側に位置するパネル２６上において、領域３７を画定する。領域３７は、蓋２１の開蓋および閉蓋を制御すべく、突出部２４を操作するための部材である。なお、これについては、後述する。
【００２９】
パネル２６の領域３７は、バンド３７ａに配置されている。バンド３７ａは、軸Ａに平行に延在しており、高い摩擦係数を有する。この高い摩擦係数は、例えば、スリット３７ｂ（特に、図４および図５を参照）によって得られる。
【００３０】
図７および図８に示すように、内側ケース５および外側ケース６は、ブランク３８およびブランク３９から作製される。ブランク３８およびブランク３９は、双方とも、板紙または同様の包装材からなる。
【００３１】
以下のブランクの説明においては、対応する箱１の部材は、添え字によって区別された、同じ参照符号により示す。
【００３２】
内側ケース５のブランク３８は、実質長方形状であり、その縦方向軸Ａ’を基準として、対称である。縦方向の２本の折り目線４０と、横方向の２本の折り目線３４および４１とが、ブランク３８を横断している。２つの折り目線３４および４１は、上側パネル７’、中央パネル１０’および下側パネル８’を形成している。
【００３３】
上側パネル７’と下側パネル８’の自由端は、Ｕ字状の刻み目１３’によって画定される。
【００３４】
フラップ１６’は、上側パネル７’における刻み目１３’の下端縁１４’から延在し、同じ上側パネル７’に、横方向の折り目線１５’によって接続される。フラップ１６’の上端部は、２つの尖端３５’を含むフォーク形状を有する。
【００３５】
縦方向の２本の折り目線４０は、それぞれ、上側パネル７’と下側パネル８’の両側において、サイドフラップ４２および４３の各々を画定する。
【００３６】
２つのタブ４４’は、折り目線４１によって、２つのフラップ４３の端部に接続され、フラップ４２に向かって延びる。
【００３７】
２つのＬ字状のフラップ１１’は、タブ４４の反対側において、折り目線４５によって、２つのフラップ４２の端部に接続される。
【００３８】
パネル７’、８’、および１０’は、それぞれ、前壁７、後壁８、および底壁１０を形成する。その一方で、２組のフラップ４２および４３の対は、一旦、互いに重ね合わされ、２つのサイド９を形成する。
【００３９】
最後に、２つのタブ４４は、底壁１０と両側壁９との間の接続要素を構成し、且つ、２つのフラップ１１’は、上面１２と接触して、内側ケースの開口１１ａに位置決めされる。
【００４０】
図８に示すように、外側ケース６のブランク３９は、実質長方形の形状を有し、縦方向軸Ａ’’を基準として対称となっている。ブランク３９は、第１の部分４６および第２の部分４７を有し、第１の部分４６および第２の部分４７は、軸Ａ’’と交差する折り目線２３’によって、互いに接続されている。
【００４１】
縦方向の２本の折り目線４８と、横方向の３本の折り目線４９、５０、および２２’とが、第１の部分４６を横断している。折り目線４９、５０、および２２’は、上から下へ向かって、第１パネル１７’、第２パネル２０’第３パネル１８’、および第四パネル２１’を画定する。第１パネル１７’、第２パネル２０’第３パネル１８’、および第四パネル２１’は、それぞれ、外側ケース６の前壁１７、底壁２０、後壁１８、および上壁２１を構成する。
【００４２】
第１パネル１７’および第３パネル１８’は、側方フラップ５１および５２を有する。側方フラップ５１および５２は、互いに重ね合わされて、接着剤Ｇによって固定されると、外側ケース６の２つのサイド１９を構成する。
【００４３】
２つのタブ５３は、折り目線５０によって、２つのフラップ５２の端部に接続され、フラップ５１に向かって延在する。これらタブ５３は、外側ケース６の底壁２０とサイド１９との間の接続要素を構成する。
【００４４】
符号５４は、折り目線５５によってパネル１７’の上端部に接続されたフラップに付されている。このフラップ５４は、パネル１７’の内面と接触するように折り曲げられるべく構成されており、前壁１７の上端縁のための強化要素を形成する。
【００４５】
パネル１７’は、その中央領域において実質長方形の開口３６’を有する。
【００４６】
第２の部分４７は、パネル１７’と実質同じ縦方向寸法を有しており、蓋２１の突出部２４を構成する。第２の部分４７は、上から下に向かって、第１パネル２５’および第２パネル２６’を有し、第１パネル２５’および第２パネル２６’は、少なくとも１本の折り目線２７’によって、互いに接続されている。
【００４７】
第１パネル２５’の縦方向寸法は、上壁２１を構成するパネル２１’と
実質同じである。
【００４８】
第２の部分４７は、閉じられた刻み目２８’を有する。刻み目２８’２つのパネル２５’と２６’を接続する領域において、開口２９’を形成する。
【００４９】
刻み目２８’は、軸Ａ’’と交差する上端縁３０’と下端縁３１’とによって画定され、パネル２５’およびパネル２６’の各々の内部に配置されている。
【００５０】
側方には、開口２９’の、互いに対向する側端縁は、２つのストリップ３３’を形成するように、上端縁３０’から延び、第１延伸部において互いに平行であり、且つ、下端縁３１’の近傍において互いに近づくように延びる。
【００５１】
箱１が閉じられると、突出部２４は、図４に示す構造となる。すなわち、この状態においては、突出部２４は、蓋２１を閉蓋状態に維持するように、外側ケース６の前壁１７と、内側ケース５の前壁７との間に、挿入される。
【００５２】
より具体的には、この状態において、上壁２１は、グループ２の上面１２と接触しており、且つ、蓋２１の前壁３２は、前壁７と内側ケース５との間に介挿されている。
【００５３】
箱１を開くと、使用者は、開口３６を通して、矢印Ｆによって示されている方向に、パネル２６の高摩擦係数領域３７に対して押し動作を行う。
【００５４】
押し動作によって、まず、前壁７および１７に対してパネル２６を摺動させる。なお、前壁７と１７との間には、同じパネル２６が介装されている。これにより、折り目線２２周りの上壁または蓋２１の回転によって、箱１を部分的に開くことができる。
【００５５】
突出部２４の移動の間に、フラップ１６は、開口２９の、互いに対向する両側端縁の間にて、自由に摺動する。
【００５６】
このステップの最後において、刻み目２８の下端縁３１が折り目線１５と接触すると、突出部２４の２つのストリップ３３は、ケース５および６の外方へ延在する。その一方で、蓋２１は、最初の位置に対して約４５°の角度で傾斜する（図２および図５）。
【００５７】
押し動作を継続するにつれて、刻み面２８の下端縁３１は、フラップ１６の折り目線１５と係合し、これにより、内側ケース５と、該内側ケース５内のグループ２とは、外側ケース６に対して摺動する。
【００５８】
このように、フラップ１６および下端縁３１は、相互係合手段５６を構成する。より具体的には、フラップ１６および下端縁３１は、突出部２４と内側ケース５の前壁７とを結合する手段を構成する。
【００５９】
上壁２１が後壁１８と実質同じ平面となり、且つ、シガレット３のグループ２の上面１２が、２つのストリップ３３および前壁３２と実質的に接触する位置になると、摺動動作は停止する。このように、２つのストリップ３３および前壁３２は、内側ケース５と、該内側ケース５内のシガレット３のグループ２のための、外部制限ストップ要素を構成する。
【００６０】
この状態においては、突出部２４は、開口２９が内側ケースの開口（全体を通して符号５７が付されている）に配置される。この開口５７は、Ｌ字状のフラップ１１によって形成された上記開口１１ａと、Ｕ字状の刻み目１３によって形成された前方側の開口１１ｂとからなる。
【００６１】
結果的に、グループ２は、所定量だけ外側ケース６から突出し、これにより、従来のヒンジ蓋付箱と実質同様にして、箱からシガレット３を容易に取り出すことが可能となる。
【００６２】
明らかなように、箱を閉じるためには、使用者は、開口３６を通して矢印Ｆと反対の方向に、高摩擦係数領域３７に対して、押し動作を行う。これにより、蓋２１は面１２に再度接着し、前壁３２は、前壁１７の内面と内側ケース５との間に復帰する。
【００６３】
図９〜図１１は、第２の実施形態に係る箱１（符号１ｂを付している）を示している。
【００６４】
箱１ｂは、箱１ａと以下の点が異なっている。すなわち、この実施形態においては、突出部２４を動作させるための領域３７が、突出部自体の上に配置されているのではなく、側方フラップ５８上に配置されている。このフラップ５８は、突出部２４のパネル２６に、折り目線５８’によって接続されている。フラップ５８の表面は、スリット３７ｂを設けることによって、高い摩擦係数を有しており、フラップ５８は、開口５９を通してアクセス可能である。開口５９は、外側ケース６の一方のサイド１９に形成される。箱１ｂが開かれると、フラップ５８は、外側ケース６の側壁１９と、内側ケース５の側壁９との間にて摺動する。
【００６５】
本実施形態の変形例として、フラップ５８を１つのみ設ける代わりに、２つのフラップ５８が反対となるように設けられており、これらフラップ５８は、それぞれの開口５９を通して、アクセス可能である（図１０）。
【００６６】
本発明の第３の実施形態に係る箱１が、図１２〜図１４に示されている。
【００６７】
この実施形態においては、箱１（符号１ｃを付している）は、箱１ｂと、以下の点においてのみ、異なっている。すなわち、この実施形態においては、フラップ５８は、２つのフラップ５１と５２との間にて摺動する。ここで、フラップ５１および５２は、互いに重ね合わされて、外側ケース６の側壁１９を形成する。このような構成のため、開口５９は、側方フラップ５１の一方のみ、または、側方フラップ５１の両方に、形成される。
【００６８】
明らかなように、この場合においては、接着剤Ｇは、フラップ５８が摺動する部分には塗布されない。
【００６９】
また、この場合においては、互いに反対側となる２つのフラップ５８を備える変形例も可能である。
【００７０】
図１５および図１６に示す、符号１ｄが付された実施形態においては、本発明に係る箱は、上記した箱よりも薄くなっている。何故ならば、グループ２が、３層の代わりに、シガレット３の２つの層３ａおよび３ｂのみを有するからである。
【００７１】
この実施形態が上記の物と異なる点は、開口２９の端縁３０と３１との間の距離と、箱が閉じられたときの、端縁３１と折り目線１５との間の距離が、以下のようなサイズとなる点である。すなわち、箱が開かれたときに、蓋２１の前壁３２は、グループ２の上面１２と接触する代わりに、壁１８と同じ平面上に配置され、且つ、端縁３０は、グループ２の端縁１２’と実質的に一致する（図１６を参照）。
【００７２】
図１７および図１８を参照して、参照符号２３’’は、折り目線２３’と平行な折り目線を示す。折り目線２３’’は、開口２９’の端縁３０’と実質整列しており、パネル２５’を端縁１２’で折り曲げるのを容易とするように構成される。
【００７３】
本実施形態においては、シガレット３を取り出すのが、より容易となっていることが明らかである。何故ならば、箱１ａと異なって、内側ケース５が外方規制位置まで押し出されたときに、グループ２の上面１２が、蓋２１の前壁３２から開放されるからである。
【００７４】
図１９に示す、符号１ｅが付された実施形態は、図９の実施形態１ｂと、以下の点で異なっている。すなわち、この実施形態においては、突出部２４を操作するための領域３７は、突出部２４の一部と、側方フラップ５９の一部とに亘って設けられている。
【００７５】
明らかなように、この場合、操作領域３へのアクセスを可能とする開口３６は、図２１に示すように、折り目線５８’に配置されている。
【００７６】
図１９の実施形態に係る箱１ｅに関連する、図２０のブランク３８においては、フラップ１６’およびフラップ１１’の形状が、上記したものと異なる。
【００７７】
最後に、図２２〜図２４に示す、符号１ｆが付された実施形態は、図１の実施形態１ａと、以下の点で異なっている。すなわち、この実施形態においては、相互係合手段５６が、内側ケース５の前壁７上に形成された２つのフラップ６１の折り目線６１ａと協働する、突出部２４の２つの側方刻み目６０の下端縁６０ａによって、構成されている。
【００７８】
最後の実施形態（図２３を参照）の内側ケース５のためのブランク３８においては、後壁８に関連するパネル８’は、前述の実施形態には設けられていたＵ字状の刻み目１３’を有していない。
【００７９】
上記したように、本発明に係る箱が、従来技術に係るヒンジ蓋付箱よりも、閉蓋したときに、良好な封止を保証することが明らかである。何故ならば、蓋２１の前壁３２が、外側ケース６の前壁１７と、内側ケースの前壁７との間で、安定して保持されるからである。
【図１】
0005739541.tif 000002
【図２】
0005739541.tif 000003
【図３】
0005739541.tif 000004
【図４】
0005739541.tif 000005
【図５】
0005739541.tif 000006
【図６】
0005739541.tif 000007
【図７】
0005739541.tif 000008
【図８】
0005739541.tif 000009
【図９】
0005739541.tif 000010
【図１０】
0005739541.tif 000011
【図１１】
0005739541.tif 000012
【図１２】
0005739541.tif 000013
【図１３】
0005739541.tif 000014
【図１４】
0005739541.tif 000015
【図１５】
0005739541.tif 000016
【図１６】
0005739541.tif 000017
【図１７】
0005739541.tif 000018
【図１８】
0005739541.tif 000019
【図１９】
0005739541.tif 000020
【図２０】
0005739541.tif 000021
【図２１】
0005739541.tif 000022
【図２２】
0005739541.tif 000023
【図２３】
0005739541.tif 000024
【図２４】
0005739541.tif 000025